(57)【要約】【課題】多重部材のロックピンを抜き切らずに保持し、各部材を回動不能から回動フリーへワンタッチで位置制御する。【解決手段】複数の部材の多層重合プレートを共通の主軸で回動可能に結合し、重ね合わせた重合プレートの別の位置に一連のピン孔を穿設し、このピン孔にロックピンを着脱自在に挿入する。一端側重合プレートのピン孔から突出させたロックピンの側面に係合アームを突設するとともに、前記一端側重合プレートと一体のフレームに、ロックピンを移動させて回転することにより前記係合アームを係止する複数の受容部を多段に形成する。前記一端側重合プレートのフレームに、ロックピン係合アームの前記受容部を開閉する開閉部材を設ける。この受容部開閉部材を、取付部を支点に回動し、ばねにより受容部閉鎖位置に付勢されるスプリングハンドルで構成する。【選択図】図４
2005256984.tif 000002
【特許請求の範囲】
【請求項１】
複数の部材の多層重合プレートを共通の主軸を介して回動可能に結合し、重ね合わせた重合プレートの別の位置に穿設した一連のピン孔にロックピンを着脱自在に挿入する複数部材の連結機構において、一端側重合プレートのピン孔から突出させたロックピンの側面に係合アームを突設するとともに、前記一端側重合プレートと一体のフレームに、ロックピンを移動させて回転することにより前記係合アームを係止する複数の受容部を多段に形成し、係合アームと受容部の係合位置調整によりロックピンと各々の重合プレートとの係合位置を規制して各重合プレートが回動ロック位置から回動フリー位置に制御されるようにしたことを特徴とするロックピン係合位置調整機構。
【請求項２】
前記一端側重合プレートのフレームに、ロックピン係合アームの前記受容部を開閉する開閉部材を設けたことを特徴とする請求項１記載のロックピン係合位置調整機構。
【請求項３】
前記受容部開閉部材が、取付部を支点に回動し、ばねにより受容部閉鎖位置に付勢されるスプリングハンドルであることを特徴とする請求項２記載のロックピン係合位置調整機構。
【発明の詳細な説明】
【技術分野】
【０００１】
本発明は重ね合わせて軸着した複数の部材の各々を選択的に回動フリー位置から回動不能位置に規制するロックピンの係合位置調整機構に関する。
【発明の開示】
【発明が解決しようとする課題】
【０００２】
ベースとなる部材に枢着した他の部材を回動フリー位置から回動不能位置に規制する手段として、両部材に穿設した通孔にピンを着脱するロックピン方式が多用されている。
このロックピンは回動フリーにする場合は不要となり、抜き取っておく必要があるため着脱が面倒であり、また、紛失し易い。
【０００３】
ロックピンに鎖やひもを付けて紛失を防ぐことも行なわれているが、不使用時には邪魔になる。さらには、くさび等でロックピンを所望の位置に保持することも考えられるが、くさびは振動などで外れ、トラブルが生じ易い。
【０００４】
従って、本発明の主たる目的は、共通の軸に枢着した複数の部材のロックピンを抜き切らずに所望の上下位置に保持させることにより部材を回動フリーから回動不能に制御できるロックピンの係合位置調整機構を提供することにある。
【０００５】
本発明の第２の目的は、ロックピンが開放部材によって所望の係合位置に確実に係止される前記係合位置調整機構を提供することにある。
【０００６】
本発明の第３の目的は、ロックピンを係合位置に保持する開閉部材が開放位置から係止位置に自動復帰する前記係合位置調整機構を提供することにある。
【課題を解決するための手段】
【０００７】
前記第１の目的を達成するために、本発明のロックピン係合位置調整機構は、複数の部材の多層重合プレートを共通の主軸を介して回動可能に結合し、重ね合わせた重合プレートの別の位置に穿設した一連のピン孔にロックピンを着脱自在に挿入する複数部材の連結機構において、一端側重合プレートのピン孔から突出させたロックピンの側面に係合アームを突設するとともに、前記一端側重合プレートと一体のフレームに、ロックピンを移動させて回転することにより前記係合アームを係止する複数の受容部を多段に形成し、係合アームと受容部の係合位置調整によりロックピンと各々の重合プレートとの係合位置を規制して各重合プレートが回動ロック位置から回動フリー位置に制御されるようにしたことを特徴とする。
【０００８】
前記第２の目的を達成するために、本発明は、前記調整機構において、前記一端側重合プレートのフレームに、ロックピン係合アームの前記受容部を開閉する開閉部材を設けたことを特徴とする。
【０００９】
前記第３の目的を達成するために、本発明は、請求項２の調整機構において、さらに、前記受容部開閉部材が、取付部を支点に回動し、ばねにより受容部閉鎖位置に付勢されるスプリングハンドルであることを特徴とする。
【発明の効果】
【００１０】
本発明は、重合部材のピン孔に挿入したロックピンの上下位置を変えて係止することにより、ロックピンを部材に保持したまま複数の軸着部材の各々を選択的に固定位置から回動フリー位置に規制することができる。
【００１１】
ロックピン係合アームの受容部を開閉する部材を設けることにより、係合アームの係着、離脱が容易且つ確実になり、作業中に外れるおそれがない。
【００１２】
受容部開閉部材をスプリングで閉鎖位置に付勢させたことにより、ロックピンの上下位置規制をワンタッチで操作することができる。
【発明を実施するための最良の形態】
【００１３】
以下、本発明の実施例を添付の図面を用いて説明する。
図において、Ａ、Ｂ、Ｃは複数の部材の重合部となるプレート部分を示すもので、図は省略したが、実際の機械器具ではこれら重合プレートには図１のフレーム１のように所定の機能をもった部材が結合される。
【００１４】
図１、図２に示すように、これら複数の重合プレートＡ、Ｂ、Ｃは、多層に重ね合わせた部材の一連の支軸ピン孔ａ、ｂ、ｃに共通の支軸２を通して各々独立に、あるいは相対的に回動もしくは揺動可能に軸着されている。
【００１５】
他方、これら重合プレートＡ、Ｂ、Ｃは前記支軸ピン孔ａ、ｂ、ｃとは別の位置に、一連に合致するロックピン孔ａ´、ｂ´、ｃ´が形成されているとともに、このロックピン孔ａ´、ｂ´、ｃ´に着脱される共通のロックピン３を備えており、このロックピン３の挿入、引き抜き位置により、各重合プレートＡ、Ｂ、Ｃが回動不能位置（あるいは一体回動位置）から回動フリー位置に規制されるようになっている。
【００１６】
このようなロックピン係合機構において、本発明はロックピン３の一端側側方に係合アーム４を突設して、その下方ピン体をロックピン孔ａ´、ｂ´、ｃ´に回転不能に装着するとともに、ロックピン３を突出させた一端側重合プレートＡのフレーム１にロックピン３と対向するブラケット５を一体に設け、このブラケット５に前記ロックピン３の係合アーム４を係止させる複数の受容部６を多段に形成してある。
【００１７】
ロックピン３には望ましくはハンドル、ツマミなどの回転操作部材７を設ける。図の実施例はロックピン３の側面に２本のロッドを突出させ、一方を前記係合アーム４として使用し、他方を回転操作部材７（ハンドル）として使用している。
【００１８】
ブラケット５に形成した複数の受容部６とロックピン３の係合アーム４の位置関係は、係合アーム４を最下段の受容部６に係合させた状態のときは、図１、図２に示すように、ロックピン３が最上位の重合プレートＡから最下位のプレートＣのロックピン孔ａ´からｃ´まで係合して一体結合し、他方、係合アーム４の係合を上段の受容部６に移動させるにつれて、図３のように下方の重合プレートから、順次に回動不能から回動フリーに制御されるように設定されている。
【００１９】
かくして、ロックピン３は係合アーム４が図１、図２の位置では重合プレートＡ、Ｂ、Ｃが一体に結合され、図３、図４の位置ではプレートＣが他のプレートＡ、Ｂから回動フリーとなり、さらに、図５の位置では各々のプレートＡ、Ｂ、Ｃが相互に回動フリーとなる。
図５は最上位に移動させたロックピン３の係合アーム４の受容部６を設けたもので、ブラケット５を延長して最上位の係合アーム４に対応するさらに上位の受容部６を設けて係合アーム４を係合させてある。
このように、受容部６は重合プレートの重合層に応じて多段に設ける。
また、プレートＡ、Ｂ、Ｃとロックピン３の係合関係は、図の実施例に限らず、例えば、中間プレートＢを回動フリーにして回動した後、ロックピン３をプレートＡ、Ｃのロックピン孔ａ´、ｃ´に係合させることもできる。
【００２０】
本発明のロックピン係合調整機構はブラケット５の受容部６に係合させたロックピン３の係合アーム４が作業中に受容部６から外れないようにするため受容部６の着脱開口部を開閉する開閉部材８を備えている。
図の実施例の開閉部材８は、枢着部９を支点に矢印方向に往復回動するハンドルで構成され、ハンドルの左右バー１０で複数の受容部６の両側開口部を同時に開閉するようになっている。
【００２１】
また、開閉部材８のハンドルの枢着部９はスプリング（図は省略）によりハンドルのバー１０が受容部６の閉鎖位置に付勢されるように組み付けてある。
かくして、ロックピン３の係合位置を変えるときは、開閉部材８のハンドルを回動して受容部６を開きロックピン３の係合アーム４を別の受容部６に嵌装して開閉部材８を離すだけでバー１０は閉鎖位置に自動復帰し、係合アーム４はワンタッチで所望の受容部６に確実に係着される。
【産業上の利用可能性】
【００２２】
本発明は重ね合わせた部材のベースプレートを選択的に固定位置から回動フリーに制御できるので種々の装置のロックピン係合位置調整機構に応用することができる。
例えば、図の実施例ではプレートＡのフレーム１にカウンタウエイトを取付けるとともに、プレートＢの後方に除草部材を連結し、プレートＡ、Ｂをロックピンで結合することにより、バランスされた除草部材を固定部材Ｃに対して揺動可能に取付け、作物の列に追従して牽引される除草装置を提供することができる。
【図面の簡単な説明】
【００２３】
【図１】本発明の実施例によるロックピン係合位置調整機構の概略構成斜視図
【図２】図１の側面図
【図３】ロックピン位置を変更する際の作用説明図
【図４】ロックピン位置を変更した係合斜視図
【図５】本発明の他の実施例による係合側面図
【符号の説明】
【００２４】
１…フレーム
２…支軸
３…ロックピン
４…係合アーム
５…ブラケット
６…受容部
７…回転操作部材
８…開閉部材
９…枢着部
１０…バー
Ａ、Ｂ、Ｃ…重合プレート
ａ、ｂ、ｃ…支軸ピン孔
ａ´、ｂ´、ｃ´…ロックピン孔
【図１】
2005256984.tif 000003
【図２】
2005256984.tif 000004
【図３】
2005256984.tif 000005
【図４】
2005256984.tif 000006
【図５】
2005256984.tif 000007